(57)【要約】【課題】未処理の生ゴミ又は処理不能な残渣を含む処理水の排出と排水濾過網の目詰まりとを抑制することができる生ゴミ処理装置を提供する。【解決手段】生ゴミを処理する処理槽１は、生ゴミの投入口１０ａを有する上流水槽２１、第１下流水槽２２、排水口２７ａを有する第２下流水槽２３を並置してなり、上流水槽２１が収容する処理水Ｗは、濾過板２０で濾過された後、隔壁１６を越えて第１下流水槽２２底部を通過し、隔壁１７を越えて第２下流水槽２３底部を通過し、排水濾過網２７ｂを介して排水口２７ａから排出されるため、生ゴミ、残渣が処理槽１底部に沈殿し易い。【選択図】図２
2007167740.tif 000002
【特許請求の範囲】
【請求項１】
微生物が混入された水を収容する水槽と、
該水槽へ給水する給水手段と、
前記水槽へ微生物を供給する微生物供給手段と、
前記水槽に収容された水の中に気泡を発生させる気泡発生手段と、
前記水槽に収容された水を攪拌する攪拌手段と
を備え、
前記水槽に投入された生ゴミを前記微生物によって分解処理する生ゴミ処理装置において、
前記水槽は、
生ゴミを投入する投入口を有する上流水槽と、
上流側から流出した水を受け容れる１又は複数の下流水槽と
を有し、
最下流の下流水槽は、上流側の水槽の逆側に、該最下流の下流水槽に収容された水を排出する排水口を有することを特徴とする生ゴミ処理装置。
【請求項２】
前記上流水槽及び／又は少なくとも１つの前記下流水槽は、底部に通水部を有する仕切り板で上流側と下流側とに仕切られていることを特徴とする請求項１に記載の生ゴミ処理装置。
【請求項３】
前記下流水槽は前記仕切り板で仕切られており、
前記気泡発生手段を、前記下流水槽の上流側であって前記通水部よりも高い位置に配してあることを特徴とする請求項２に記載の生ゴミ処理装置。
【請求項４】
前記下流水槽は前記仕切り板で仕切られており、
前記下流水槽の下流側の底部に、該底部の水を前記上流水槽へ搬送する搬送ポンプを備えることを特徴とする請求項２又は３に記載の生ゴミ処理装置。
【請求項５】
前記仕切り板に、空気が通過する通気部が設けてあることを特徴とする請求項２乃至４の何れかひとつに記載の生ゴミ処理装置。
【請求項６】
前記給水手段、前記微生物供給手段、及び前記気泡発生手段は、前記上流水槽及び前記下流水槽夫々に対して設けられていることを特徴とする請求項１乃至５の何れかひとつに記載の生ゴミ処理装置。
【請求項７】
前記下流水槽を複数備え、
前記上流水槽から隣接する前記下流水槽へ、及び上流側の前記下流水槽から隣接する下流側の前記下流水槽へ、夫々流水する流水部を、前記排水口より高い位置に、かつ、上流側の前記流水部を下流側の前記流水部より高い位置に配設してあることを特徴とする請求項１乃至６の何れかひとつに記載の生ゴミ処理装置。
【請求項８】
前記上流水槽は、該上流水槽に収容された水に投入された生ゴミを濾過すべく底部に立設された濾過板によって上流側と下流側とに分割されており、
前記投入口、及び前記攪拌手段を上流側に配してあることを特徴とする請求項１乃至７の何れかひとつに記載の生ゴミ処理装置。
【請求項９】
前記給水手段、前記微生物供給手段、前記気泡発生手段、及び前記攪拌手段を夫々作動させた後で、全て停止させる全停止時間を設けるようにしてあることを特徴とする請求項１乃至８の何れかひとつに記載の生ゴミ処理装置。
【請求項１０】
生ゴミの投入前に、隣り合う上流側の水槽から下流側の水槽へ前記上流側の水槽に収容された水を送る送水ポンプを備えることを特徴とする請求項１乃至９の何れかひとつに記載の生ゴミ処理装置。
【請求項１１】
生ゴミを破砕し、破砕した生ゴミを、水と共に前記上流水槽へ投入するディスポーザが前記投入口に連結してあることを特徴とする請求項１乃至１０の何れかひとつに記載の生ゴミ処理装置。
【請求項１２】
前記水として、最下流の下流水槽に収容された水を前記ディスポーザへ供給する供給ポンプを備えることを特徴とする請求項１１に記載の生ゴミ処理装置。
【発明の詳細な説明】
【技術分野】
【０００１】
本発明は、水槽の水に投入された生ゴミを微生物によって分解処理する湿式の生ゴミ処理装置に関する。
【背景技術】
【０００２】
従来の湿式の生ゴミ処理装置は、水槽の水に微生物を混入させて、生ゴミを水、二酸化炭素等に分解処理するための処理水となし、この処理水の中に生ゴミを投入して水中ポンプで処理水を循環させて攪拌することによって、微生物に生ゴミを分解させる（特許文献１参照）。
【０００３】
このような生ゴミ処理装置においては、処理水の水位若しくは処理水中の微生物の濃度を一定に保つために、又は、好気性の微生物が消費した処理水中の溶存酸素を補うために、新たな水を水槽へ供給する。新たな水は、一般に水槽の上方に配された貯水タンクに一旦貯留され、適宜のタイミングで断続的に水槽へ供給される。
更に、処理水中の消費された溶存酸素を補うために、生ゴミ処理装置外部の空気（外気）が、生ゴミの処理中に所定時間の間、連続的に処理水中に吹き込まれる。
【０００４】
水槽の処理水は、水槽底部からの適宜の高さ（オーバーフロー水位）に設けられている排水口から排出される。
【特許文献１】特開２０００−３５４８９８号公報
【発明の開示】
【発明が解決しようとする課題】
【０００５】
しかしながら、生ゴミの投入、水槽への給水等によって水槽の水位が上昇してオーバーフロー水位を超過した場合、未処理の生ゴミ又は処理不能な残渣を含む処理水が排水口から排出されることがあった。このため、生ゴミを十分に処理することができず、生ゴミ処理の効率が低下し、また、生ゴミ処理装置から生ゴミ又は残渣を含む処理水を排出することによって生ゴミ処理装置に併設された排水処理施設、下水処理場等の汚水処理の負担が増大するという問題もあった。
【０００６】
更に、処理水を濾過する排水濾過網を排水口に設けて生ゴミ及び残渣が排出されることを抑制した場合、生ゴミ又は残渣を含む処理水が排水濾過網に接触することによって排水濾過網が目詰まりを起こし、水槽からの排水が困難又は不能になる可能性もあった。
【０００７】
ところで、生ゴミの分解効率を向上させるために、生ゴミ処理装置の使用者は、水槽に投入する生ゴミを予め裁断、破砕等しておく。また、裁断、破砕等された生ゴミを水槽の投入口から手動で投入する。
生ゴミの裁断、破砕等と水槽への投入とを自動化すべく、生ゴミ処理装置に、生ゴミを破砕して水と共に水槽へ投入するディスポーザを備えることがある。
しかしながら、ディスポーザを用いる場合は水と生ゴミとを同時的に投入するため、手動で生ゴミを投入する場合よりも水槽への投入量が増大して処理水の水位が急激に増加し、未処理の生ゴミを含む処理水が排水口から排出されるか、又は排水濾過網に接触して排水濾過網が目詰まりを生じる可能性が高い。
【０００８】
本発明は斯かる事情に鑑みてなされたものであり、その主たる目的は、生ゴミが投入される上流水槽と、収容した水を排出する下流水槽とを備えることにより、未処理の生ゴミ又は処理不能な残渣を含む処理水の排出と排水濾過網の目詰まりとを抑制することができる生ゴミ処理装置を提供することにある。
【０００９】
本発明の他の目的は、複数の水槽の内、１又は複数を、底部に通水部を有する仕切り板で更に上流側と下流側とに仕切る構成とすることにより、生ゴミ又は残渣を含む処理水の排出と排水濾過網の目詰まりとを更に抑制することができる生ゴミ処理装置を提供することにある。
【００１０】
本発明の他の目的は、下流水槽の仕切り板で仕切られた上流側に気泡を発生させる構成とすることにより、各下流水槽内の上流側で生ゴミ処理を促進しつつ、生ゴミ及び残渣が下流側へ流出することを抑制することができる生ゴミ処理装置を提供することにある。
【００１１】
本発明の他の目的は、下流水槽の仕切り板で仕切られた下流側底部の水を上流水槽へ搬送する構成とすることにより、生ゴミ及び残渣が下流側へ流出することを更に抑制することができる生ゴミ処理装置を提供することにある。
【００１２】
本発明の他の目的は、水槽の仕切り板で仕切られた上流側と下流側とを通気する構成とすることにより、水槽内の気圧を一様にすることができる生ゴミ処理装置を提供することにある。
【００１３】
本発明の他の目的は、複数の水槽夫々に給水し、微生物を供給し、水中に気泡を発生させる構成とすることにより、各水槽での生ゴミ処理を促進して、生ゴミが下流側へ流出することを抑制することができる生ゴミ処理装置を提供することにある。
【００１４】
本発明の他の目的は、複数の水槽に関し、隣り合う上流側の水槽から下流側の水槽へ流水する流水部を、上流側から下流側へ順に低くなるよう設ける構成とすることにより、排水効率が低下することを防止することができる生ゴミ処理装置を提供することにある。
【００１５】
本発明の他の目的は、上流水槽の上流側に投入口及び攪拌手段を配して、下流側との境界に濾過板を立設する構成とすることにより、上流水槽の上流側での生ゴミ処理を促進しつつ、生ゴミ及び残渣が下流側へ流出することを抑制することができる生ゴミ処理装置を提供することにある。
【００１６】
本発明の他の目的は、水槽に給水せず、微生物を供給せず、水中に気泡を発生させず、攪拌しない時間を設ける構成とすることにより、生ゴミ及び残渣が下流側へ流出することを更に抑制することができる生ゴミ処理装置を提供することにある。
【００１７】
本発明の他の目的は、上流側の水槽から下流側の水槽へ水を送る構成とすることにより、排水効率を向上させつつ生ゴミが下流側へ流出することを更に抑制することができる生ゴミ処理装置を提供することにある。
【００１８】
本発明の他の目的は、上流水槽の投入口にディスポーザを連結する構成とすることにより、生ゴミの分解効率を向上させつつ生ゴミ処理装置の使用者の利便性を向上させることができる生ゴミ処理装置を提供することにある。
【００１９】
本発明の更に他の目的は、最下流の下流水槽の水をディスポーザへ供給する構成とすることにより、水の使用量を低減することができる生ゴミ処理装置を提供することにある。
【課題を解決するための手段】
【００２０】
本発明に係る生ゴミ処理装置は、微生物が混入された水を収容する水槽と、該水槽へ給水する給水手段と、前記水槽へ微生物を供給する微生物供給手段と、前記水槽に収容された水の中に気泡を発生させる気泡発生手段と、前記水槽に収容された水を攪拌する攪拌手段とを備え、前記水槽に投入された生ゴミを前記微生物によって分解処理する生ゴミ処理装置において、前記水槽は、生ゴミを投入する投入口を有する上流水槽と、上流側から流出した水を受け容れる１又は複数の下流水槽とを有し、最下流の下流水槽は、上流側の水槽の逆側に、該最下流の下流水槽に収容された水を排出する排水口を有することを特徴とする。
【００２１】
本発明に係る生ゴミ処理装置は、前記上流水槽及び／又は少なくとも１つの前記下流水槽は、底部に通水部を有する仕切り板で上流側と下流側とに仕切られていることを特徴とする。
【００２２】
本発明に係る生ゴミ処理装置は、前記下流水槽は前記仕切り板で仕切られており、前記気泡発生手段を、前記下流水槽の上流側であって前記通水部よりも高い位置に配してあることを特徴とする。
【００２３】
本発明に係る生ゴミ処理装置は、前記下流水槽は前記仕切り板で仕切られており、前記下流水槽の下流側の底部に、該底部の水を前記上流水槽へ搬送する搬送ポンプを備えることを特徴とする。
【００２４】
本発明に係る生ゴミ処理装置は、前記仕切り板に、空気が通過する通気部が設けてあることを特徴とする。
【００２５】
本発明に係る生ゴミ処理装置は、前記給水手段、前記微生物供給手段、及び前記気泡発生手段は、前記上流水槽及び前記下流水槽夫々に対して設けられていることを特徴とする。
【００２６】
本発明に係る生ゴミ処理装置は、前記下流水槽を複数備え、前記上流水槽から隣接する前記下流水槽へ、及び上流側の前記下流水槽から隣接する下流側の前記下流水槽へ、夫々流水する流水部を、前記排水口より高い位置に、かつ、上流側の前記流水部を下流側の前記流水部より高い位置に配設してあることを特徴とする。
【００２７】
本発明に係る生ゴミ処理装置は、前記上流水槽は、該上流水槽に収容された水に投入された生ゴミを濾過すべく底部に立設された濾過板によって上流側と下流側とに分割されており、前記投入口、及び前記攪拌手段を上流側に配してあることを特徴とする。
【００２８】
本発明に係る生ゴミ処理装置は、前記給水手段、前記微生物供給手段、前記気泡発生手段、及び前記攪拌手段を夫々作動させた後で、全て停止させる全停止時間を設けるようにしてあることを特徴とする。
【００２９】
本発明に係る生ゴミ処理装置は、生ゴミの投入前に、隣り合う上流側の水槽から下流側の水槽へ前記上流側の水槽に収容された水を送る送水ポンプを備えることを特徴とする。
【００３０】
本発明に係る生ゴミ処理装置は、生ゴミを破砕し、破砕した生ゴミを、水と共に前記上流水槽へ投入するディスポーザが前記投入口に連結してあることを特徴とする。
【００３１】
本発明に係る生ゴミ処理装置は、前記水として、最下流の下流水槽に収容された水を前記ディスポーザへ供給する供給ポンプを備えることを特徴とする。
【発明の効果】
【００３２】
本発明の生ゴミ処理装置による場合、上流−下流方向に並置された上流水槽と１又は複数の下流水槽とに、微生物が混入された水（処理水）が夫々収容される。このため、各水槽で微生物による生ゴミの処理が可能である。また、生ゴミの処理を促進するために、上流水槽及び下流水槽の何れか又は全てに対し、生ゴミを分解処理する微生物が供給され、微生物が消費した溶存酸素を補うべく、又は適宜の水量を保つべく新たな水が供給され、溶存酸素を補うべく処理水中に気泡を発生させることによって酸素が吹き込まれ、更に収容された処理水が攪拌される。
【００３３】
生ゴミは、投入口を介して上流水槽へ投入され、上流水槽から流出した水は上流水槽に隣接して設けられた下流水槽に受け容れられ、下流水槽が複数ある場合、下流水槽から流出した水はこの下流水槽に隣接して設けられた下流水槽に受け容れられ、最下流の下流水槽に収容された処理水は、この下流水槽に設けられた排水口から排出される。
【００３４】
仮に、生ゴミが投入される上流水槽に排水口が設けられている場合、生ゴミの投入によって上流水槽の水位がオーバーフロー水位を超過したとき、生ゴミが投入された直後の水が排水口から排出されるか、又は排水口に設けられた排水濾過網に直接的に接触する。
【００３５】
しかしながら、本発明においては排水口が下流水槽に、しかも上流側の水槽の逆側に設けられているため、上流水槽（又は上流側の下流水槽）から流出した水は一旦下流水槽（又は下流側の下流水槽）に収容される。この場合、上流水槽（又は上流側の下流水槽）から流入した水に含まれる未処理の生ゴミ及び処理不能な残渣も下流水槽（又は下流側の下流水槽）に収容され、排水口から排水される前に、若しくは更に下流の下流水槽へ流出する前に、収容された下流水槽で充分に処理されるか、又はこの下流水槽の底部に沈殿する。
【００３６】
この結果、未処理の生ゴミ又は処理不能な残渣を含む水が更に下流側の下流水槽へ流出すること、排水口から排出されること、及び排水口に設けられた排水濾過網に直接的に接触して排水濾過網を目詰まりさせることを抑制することができる。延いては、生ゴミ処理装置に併設された排水処理施設、下水処理場等の汚水処理の負担を軽減することができ、排水濾過網を介した排水を容易にして排水効率を向上させることができる。
【００３７】
本発明の生ゴミ処理装置による場合、上流水槽及び／又は少なくとも１つの下流水槽は、仕切り板で仕切られた水槽内上流側から水槽内下流側へ、仕切り板の底部に設けられた通水部を介して水が通過する。つまり、水槽の上流側から流入した水は、下流水槽の水槽内上流側の底部へ移動し、通水部を通って、下流水槽の水槽内下流側の底部へ移動し、下流水槽の下流側へ流出するか、又は排水口から排出される。
このため、上流側の水槽から流入した水に含まれる生ゴミ及び残渣は水槽の底部に沈殿し易くなり、また、例えば上流側水面→底部→下流側水面へ移動する間に微生物によって分解処理され易くなり、この結果、生ゴミ又は残渣を含む処理水の排出と排水濾過網の目詰まりとを更に抑制することができる。
【００３８】
仮に、仕切り板がない場合、水槽の上流側から流入した水に含まれる生ゴミ及び残渣は、上流側水面から、底部を経ず直接的に下流側水面へ移動して、水槽の下流側から流出する可能性がある。また、上流側水面→底部→下流側水面へ移動するよりも例えば上流側水面→下流側水面へ移動する方が移動距離が短いため、分解処理に充分な時間だけ処理水中に生ゴミが滞在できず、微生物によって分解処理され難い。
【００３９】
本発明の生ゴミ処理装置による場合、少なくとも下流水槽には気泡発生手段が配してあり、下流水槽の仕切り板で仕切られた水槽内上流側から水槽内下流側へ、仕切り板の底部に設けられた通水部を介して水が通過するが、気泡発生手段は、下流水槽の水槽内上流側であって通水部よりも高い位置に配してあるため、気泡は水槽内上流側の処理水中に発生し、処理水に溶解するか上昇する。この結果、気泡が下流水槽底部及び水槽内下流側に発生又は移動することがない。
気泡の発生及び上昇によって処理水は攪拌され、また、処理水に含まれる生ゴミ及び残渣が下流水槽の水槽内上流水面側へ上昇し易くなる。
【００４０】
しかしながら、下流水槽の底部では気泡の発生及び上昇による処理水の攪拌が抑制されているため、処理水に含まれる生ゴミ及び残渣が底部に沈殿し易い。また、下流水槽の水槽内下流側では気泡の上昇に伴って処理水に含まれる生ゴミ及び残渣が水面側へ上昇することがない。
更に、下流水槽の水槽内上流側では、処理水中に空気が吹き込まれ、微生物が消費した溶存酸素を補うことができるため、微生物による生ゴミの分解を促進することができる。
以上の結果、生ゴミ及び残渣が更に下流側の下流水槽へ流出すること、排水口から排出されること、及び排水口に設けられた排水濾過網に直接的に接触して排水濾過網を目詰まりさせることを更に抑制することができる。
【００４１】
本発明の生ゴミ処理装置による場合、下流水槽の水槽内下流側の底部に搬送ポンプが配されている。
下流水槽の仕切り板で仕切られた水槽内上流側から水槽内下流側へ、仕切り板の底部に設けられた通水部を介して水が通過する。このとき、処理水の流れに従って生ゴミ及び残渣は、主に下流水槽の水槽内下流側の底部に沈殿する。搬送ポンプが水槽内下流側の処理水を上流水槽へ搬送する際に、ここに沈殿している生ゴミ及び残渣も処理水と共に上流水槽へ搬送される。
上流水槽へ搬送された生ゴミは上流水槽で処理され、残渣は上流水槽に沈殿する。このため、沈殿した生ゴミ及び残渣が下流側の下流水槽へ流出すること、排水口から排出されること、及び排水口に設けられた排水濾過網に直接的に接触して排水濾過網を目詰まりさせることを更に抑制することができる。
【００４２】
処理不能な残渣は、例えば生ゴミ処理装置の保守点検作業者が清掃する必要があるが、残渣は上流水槽に沈殿しているため、主として上流水槽を清掃すればよく、下流水槽の清掃回数を低減させることができる。この結果、生ゴミ処理装置運用上の利便性を向上させることができる。
【００４３】
本発明の生ゴミ処理装置による場合、仕切り板で仕切られた水槽の水槽内上流側と水槽内下流側との間で通気部を介して空気が行き来する。このため、例えば気泡発生手段が発生させた気泡が処理水中から水上へ移動することによって、水槽内上流側の気圧と水槽内下流側の気圧とに差が生じても、水槽内の気圧を一様にすることができる。
【００４４】
本発明の生ゴミ処理装置による場合、上流水槽及び下流水槽の全てに対し、生ゴミを分解処理する微生物が供給され、微生物が消費した溶存酸素を補うべく、又は適宜の水量を保つべく新たな水が供給され、溶存酸素を補うべく処理水中に気泡を発生させることによって外気（酸素）が吹き込まれる。このため、上流水槽及び下流水槽の全てにおいて生ゴミの処理を促進することができ、生ゴミが下流水槽へ流出すること、排水口から排出されること、及び排水口に設けられた排水濾過網に直接的に接触して排水濾過網を目詰まりさせることを更に抑制することができる。
【００４５】
本発明の生ゴミ処理装置による場合、上流水槽から、上流水槽に隣接する下流水槽へ、そして下流水槽から、この下流水槽に隣接する下流水槽へ、流水部を通過して処理水が流出する。上流側の流水部よりも下流側の流水部の方が低い位置にあり、排水口は、最下流の流水部より低い位置にあるため、下流水槽の水位が上昇した場合、処理水が上流側に隣接する水槽へ逆流することなく、下流側の水槽へ流出するか、又は排水口から排出される。
つまり、生ゴミが処理され、又は沈殿して生ゴミの含有率が低くなった処理水が、生ゴミの含有率が高い上流側の水槽へ逆流することを防止することができ、このため、生ゴミの含有率が低い処理水を効率よく下流側へ流出させ、排水することができる。
【００４６】
本発明の生ゴミ処理装置による場合、濾過板で仕切られた上流水槽の水槽内上流側に投入口が配してあるため、上流水槽の水槽内上流側から水槽内下流側へ、生ゴミ及び残渣が濾し取られた処理水が流出する。このため、生ゴミ及び残渣が下流水槽へ流出すること、排水口から排出されること、及び排水口に設けられた排水濾過網に直接的に接触して排水濾過網を目詰まりさせることを更に抑制することができる。
また、上流水槽の水槽内上流側に配された攪拌手段が、上流水槽に収容された処理水を攪拌するため、上流水槽の水槽内上流側での生ゴミ処理を促進することができ、生ゴミによる濾過板の目詰まりを抑制することができる。
【００４７】
本発明の生ゴミ処理装置による場合、微生物を供給し、新たな水を供給し、処理水中に気泡を発生させ、更に水槽に収容された処理水を攪拌して、生ゴミを処理してから、微生物及び新たな水の供給、気泡の発生、並びに処理水の攪拌を停止させる。
このため、生ゴミの処理後、水槽中の処理水は下流側へ流出せず、また、上下方向にも移動しなくなる。この結果、未処理の生ゴミ及び処理不能な残渣を容易に沈殿させることができる。
沈殿した生ゴミ及び残渣は、例えば清掃するか、又は残渣回収用のポンプで回収することによって、容易かつ確実に除去することができる。
【００４８】
本発明の生ゴミ処理装置による場合、生ゴミの投入前、例えば前回の生ゴミ処理が完了した後に、隣り合う上流側の水槽から下流側の水槽へ、上流側の水槽が収容している処理水を汲み上げて移す。最下流の下流水槽では、上流側から強制的に処理水が送られてくるため、水位が上昇して、処理水が排水口から排出される。このため、排水効率を向上させることができる。
また、下流側の水槽への強制的な送水によって、生ゴミが投入される前の上流水槽の処理水を減少させることができ、生ゴミが投入された直後に上流水槽の処理水がオーバーフローすることを抑制できる。このため、未処理の生ゴミを含む処理水が下流水槽へ流出すること、排水口から排出されること、及び排水口に設けられた排水濾過網に直接的に接触して排水濾過網を目詰まりさせることを更に抑制することができる。
【００４９】
本発明の生ゴミ処理装置による場合、ディスポーザから投入口を介して上流水槽へ、予めディスポーザによって破砕された生ゴミを、水と共に投入することができる。このため、生ゴミ処理装置の使用者が、水槽に投入する生ゴミを予め裁断、破砕等しておく必要がなく、また、裁断、破砕等された生ゴミを水槽の投入口から手動で投入する必要もない。つまり、使用者の利便性を向上させることができる。更に、上流水槽へ供給すべき新たな水の量を低減することができる。
更にまた、ディスポーザによって投入された生ゴミは十分に破砕されているため、生ゴミの分解効率を向上させることができる。
【００５０】
本発明の生ゴミ処理装置による場合、最下流の下流水槽が収容している処理水をディスポーザに供給して、この処理水と共に、ディスポーザが破砕した生ゴミを上流水槽へ投入する。
最下流の下流水槽が収容している処理水は、生ゴミ及び残渣の残留量が少ないため、ディスポーザでの使用に堪える。この結果、ディスポーザに供給すべき新たな水、及び上流水槽に供給すべき新たな水の量を低減することができる。
しかも最下流の下流水槽から排水口を介して排出されるはずの処理水に含まれている微生物を、上流水槽で再利用することができるため、経済的である。
【発明を実施するための最良の形態】
【００５１】
以下、本発明を、その実施の形態を示す図面に基づいて詳述する。
【００５２】
実施の形態  １．
図１は、本発明の実施の形態１に係る業務用の湿式の生ゴミ処理装置５の構成を示す斜視図であり、生ゴミ処理装置５が備える処理槽１の正面１１、上面１３、上面１３から正面１１へ下降傾斜する傾斜面１０及び正面右側の側面１５を示している。図２は、同じく縦断面図である。また、図３は、生ゴミ処理装置５が備える操作盤４の構成を示すブロック図である。
処理槽１は傾斜面１０、正面１１、背面１２、上面１３、下面１４及び左右の側面１５，１５夫々に図示しない適宜の断熱構造を有する略直方体であり、微生物が混入された水道水である処理水Ｗを収容する。
【００５３】
処理槽１は正面１１側を上流側、背面１２側を下流側として、上流−下流方向に、隔壁１６，１７によって３個の水槽に分割されている。この３個の水槽は、上流水槽２１と、隣接する上流側の上流水槽２１から流出した処理水Ｗを受け容れる第１下流水槽２２と、隣接する上流側の第１下流水槽２２から流出した処理水Ｗを受け容れる第２下流水槽２３とである。
隔壁１６，１７と正面１１及び背面１２夫々とは略平行であり、正面１１及び傾斜面１０、隔壁１６、隔壁１７並びに背面１２の順に前後方向、即ち上流−下流方向に適長離隔して配されている。
【００５４】
隔壁１６，１７には通水性がなく、隔壁１６，１７は下面１４及び側面１５，１５に一体に設けられており、隔壁１６，１７の高さは処理槽１の内法高さより低い。つまり、隔壁１６，１７上端と上面１３との間に空隙があり、処理水Ｗはこの空隙のみ通過可能であって、隔壁１６上の空隙は上流水槽から隣接する下流水槽へ流水する流水部１６ａであり、隔壁１７上の空隙は上流側の下流水槽から隣接する下流側の下流水槽へ流水する流水部１７ａである。
【００５５】
正面１１（及び傾斜面１０）−隔壁１６間は上流水槽２１である。
上流水槽２１の水槽内上流側である傾斜面１０の横方向中央部には、生ごみを投入する開口部である投入口１０ａが隔壁１６上端より十分高い位置に開口し、投入口１０ａには傾斜面１０の外側から投入口１０ａを開閉する投入口扉１０ｂが備えられている。
また、処理槽１の正面１１の横方向中央下部には処理槽１を点検、保守、清掃等するための点検口１１ａが開口し、点検口１１ａには正面１１の外側から点検口１１ａを開閉する点検口扉１１ｂが備えられている。生ゴミ処理装置５による生ゴミ処理完了後、微生物による分解不能な生ゴミの残渣は、点検口１１ａを通して回収される。
【００５６】
上流水槽２１内の隔壁１６近傍には、生ゴミ及び残渣を濾し取り処理水Ｗを濾過する濾過板２０が、正面１１及び隔壁１６夫々に略平行に、下面１４に立設されている。濾過板２０は、左右端部が側面１５，１５に密着してあり、上流水槽２１内を上流側と下流側とに分割している。濾過板２０の高さは、隔壁１６の高さより高い。このため、処理水Ｗの水面が多少波打っても、処理水Ｗが濾過板２０を乗り越えることはない。
【００５７】
投入口１０ａ及び点検口１１ａは、濾過板２０の上流側に配されている。
また、上流水槽２１内の濾過板２０上流側の下面１４には、水中ポンプ２４が設置してある。水中ポンプ２４は、上流水槽２１に収容された上流水槽２１底部近傍の処理水Ｗを吸入し、水面側へ吐出して処理水Ｗを攪拌する攪拌手段である。
更に、上流水槽２１内の濾過板２０上流側には、微生物を着床させ分解の活性化を図るための複数の小型の基材５６，５６，…が混入されている。基材５６は多孔質の発泡樹脂製であり、濾過板２０を通過しないサイズを有し、基材５６，５６，…は処理水Ｗに浮遊し、処理水Ｗの攪拌に伴って処理水Ｗ内を移動する。
【００５８】
上流水槽２１におけるオーバーフロー水位は隔壁１６の高さである。また、投入口１０ａと隔壁１６との高さの差により、処理水Ｗが投入口１０ａから溢れ出すことが防止されている。
【００５９】
上流水槽２１に収容された処理水Ｗは、水中ポンプ２４によって上下方向に攪拌され、また、オーバーフロー水位を超過した場合に、濾過板２０に濾過されて流水部１６ａを通り第１下流水槽２２へ流出する。
生ゴミは上流水槽２１の濾過板２０上流側に投入されるため、処理水Ｗに含まれる未処理の生ゴミ及び処理不能な残渣の多くは、濾過板２０に濾し取られて上流水槽２１の濾過板２０上流側に残留する。生ゴミ及び残渣は沈殿し易いため、水中ポンプ２４が作動していない場合、残留した生ゴミ及び残渣は主に濾過板２０近傍底部に沈殿する。
【００６０】
隔壁１６−隔壁１７間は第１下流水槽２２である。
第１下流水槽２２内の上面１３の上流−下流方向中央部には、第１下流水槽２２を上流側と下流側とに仕切る仕切り板１８が垂下している。仕切り板１８には通水性がなく、仕切り板１８は上面１３及び側面１５，１５に一体に設けられており、仕切り板１８の垂下長さは処理槽１の内法高さより短い。つまり、仕切り板１８下端と下面１４との間に空隙があり、処理水Ｗはこの空隙のみ通過可能であって、仕切り板１８下の空隙は第１下流水槽２２の通水部１８ａである。
【００６１】
隔壁１７の高さは隔壁１６の高さより低く、このため隔壁１７の高さが上流水槽２１のオーバーフロー水位である。また、隔壁１６，１７の高さの差により、処理水Ｗが第１下流水槽２２へ逆流することが防止されている。
上流水槽２１から流入してきた処理水Ｗは第１下流水槽２２に収容され、オーバーフロー水位を超過した場合に、仕切り板１８上流側から第１下流水槽２２底部へ移動し、通水部１８ａを通って、仕切り板１８下流側へ移動し、流水部１７ａを通り第２下流水槽２３へ流出する。
【００６２】
濾過板２０を通過した微細な生ゴミ及び残渣の多くは、仕切り板１８上流側を下降した処理水Ｗが通水部１８ａを通って仕切り板１８下流側を上昇する際に、第１下流水槽２２底部、特に第１下流水槽２２底部の下流側に沈殿する。
【００６３】
隔壁１７−背面１２間は第２下流水槽２３であり、第２下流水槽２３は最下流の下流水槽である。
第２下流水槽２３内の上面１３の上流−下流方向中央部には、第２下流水槽２３を上流側と下流側とに仕切る仕切り板１９が垂下している。仕切り板１９には通水性がなく、仕切り板１９は上面１３及び側面１５，１５に一体に設けられており、仕切り板１９の垂下長さは処理槽１の内法高さより短い。つまり、仕切り板１９下端と下面１４との間に空隙があり、処理水Ｗはこの空隙のみ通過可能であって、仕切り板１９下の空隙は第２下流水槽２３の通水部１９ａである。
【００６４】
第２下流水槽２３の仕切り板１９下流側である背面１２の横方向中央上部には、第２下流水槽２３が収容する処理水Ｗを排出するための排水パイプ２７が背面１２を貫通して設けてある。排水パイプ２７の処理槽１内側端部はエルボ状であり、排水パイプ２７の一端部開口である排水口２７ａが背面１２内側近傍に、上向きに、かつ隔壁１７の高さより低い位置に開口している。
排水口２７ａは排水濾過網２７ｂで被覆されて、排出される処理水Ｗに含まれる未処理の生ゴミ及び処理不能な残渣を濾し取るようにしてある。
【００６５】
排水口２７ａの高さが第２下流水槽２３のオーバーフロー水位である。また、隔壁１７と排水口２７ａとの高さの差により、処理水Ｗが第２下流水槽２３へ逆流することが防止されている。
第１下流水槽２２から流入してきた処理水Ｗは第２下流水槽２３に収容され、オーバーフロー水位を超過した場合に、仕切り板１９上流側から第２下流水槽２３底部へ移動し、通水部１９ａを通って、仕切り板１９下流側へ移動し、排水濾過網２７ｂを通過して排水パイプ２７へ排出され、更に、排水パイプ２７の他端部開口から生ゴミ処理装置５に併設された排水処理施設、下水等へ排出される。
【００６６】
第１下流水槽２２から流入してきた微細な生ゴミ及び残渣の多くは、仕切り板１９上流側を下降した処理水Ｗが通水部１９ａを通って仕切り板１９下流側を上昇する際に、第２下流水槽２３底部、特に第２下流水槽２３底部の下流側に沈殿する。
【００６７】
処理水Ｗと共に仕切り板１９下流側を上昇した微細な生ゴミ及び残渣は、排水濾過網２７ｂに濾し取られて処理槽１外へ排出されることが確実に防止される。排水濾過網２７ｂ上に残留した生ゴミ及び残渣は、処理水Ｗが波立つことによって排水濾過網２７ｂ上から除去される。
【００６８】
第１下流水槽２２（第２下流水槽２３）内の仕切り板１８（仕切り板１９）下流側の下面１４には、水中ポンプを用いてなる搬送ポンプ２５（搬送ポンプ２６）が設置してある。搬送ポンプ２５（搬送ポンプ２６）には、上下方向に配された搬送パイプ２８２（搬送パイプ２８３）が連結してある。
また、仕切り板１８，１９を貫通し、隔壁１６，１７及び濾過板２０夫々の上方に、上流−下流方向に搬送パイプ２８０が配してある。搬送パイプ２８０の一端には搬送パイプ２８３が連結してあり、中央部には搬送パイプ２８２が連結してあり、他端には、上下方向に配された搬送パイプ２８１が連結してある。搬送パイプ２８１の端部開口は、上流水槽２１の濾過板２０上流側に配されている。
【００６９】
搬送ポンプ２５（搬送ポンプ２６）は、第１下流水槽２２（第２下流水槽２３）底部近傍、特に仕切り板１８（仕切り板１９）下流側の底部近傍の処理水Ｗを吸入し、搬送パイプ２８２（搬送パイプ２８３）及び搬送パイプ２８０を通過して搬送パイプ２８１から吐出する。つまり、搬送ポンプ２５（搬送ポンプ２６）は、第１下流水槽２２（第２下流水槽２３）底部近傍の処理水Ｗを上流水槽２１へ搬送する。
第１下流水槽２２（第２下流水槽２３）底部近傍、特に仕切り板１８（仕切り板１９）下流側の底部近傍の処理水Ｗには、沈殿した微細な生ゴミ及び残渣が含まれているため、第１下流水槽２２および第２下流水槽２３に流出した生ゴミ及び残渣が回収されて、再び上流水槽２１に投入される。
【００７０】
第１下流水槽２２（第２下流水槽２３）内の仕切り板１８（仕切り板１９）の上流側の面には、第１下流水槽２２（第２下流水槽２３）のオーバーフロー水位から上下方向中央部までの全範囲に、微生物を着床させ分解の活性化を図るための大型の基材５７（基材５８）が固定されている。基材５７，５８は多孔質の発泡樹脂製である。
【００７１】
処理槽１の上面１３外側には、送風機であるブロワ３が設置されている。ブロワ３には上面１３上に上流−下流方向に配された給気管３０が連結してあり、給気管３０に、上面１３を貫通して夫々上流水槽２１、第１下流水槽２２及び第２下流水槽２３に配された給気管３１，３２，３３が連結してある。
給気管３１は上流水槽２１内の濾過板２０上流側に垂下したＬ字状であり、縦管３１ａと横管３１ｂとで構成されている。横管３１ｂは上流水槽２１底部近傍に左右方向に配されており、横管３１ｂ上面に空気孔３ａ，３ａ，…が横方向に並置して多数形成してある。
【００７２】
給気管３２（給気管３３）は第１下流水槽２２（第２下流水槽２３）内の仕切り板１８（仕切り板１９）上流側に垂下したＬ字状であり、縦管３２ａ（縦管３３ａ）と横管３２ｂ（横管３３ｂ）とで構成されている。横管３２ｂ（横管３３ｂ）は、基材５７（基材５８）下方の第１下流水槽２２（第２下流水槽２３）底部近傍に左右方向に配されており、横管３２ｂ（横管３３ｂ）上面に空気孔３ａ，３ａ，…が横方向に並置して多数形成してある。ここで、横管３２ｂ（横管３３ｂ）の高さは仕切り板１８（仕切り板１９）下端の高さ、即ち通水部１８ａ（通水部１９ａ）最上端の高さより高くしてある。
【００７３】
ブロワ３は生ゴミ処理装置５の外気を給気管３０を介して給気管３１，３２，３３へ送風し、給気管３１，３２，３３の空気孔３ａ，３ａ，…から処理水Ｗ中に気泡を発生する。
つまり、処理槽１が収容する処理水Ｗ中に気泡を発生させる気泡発生手段は、上流水槽２１、第１下流水槽２２及び第２下流水槽２３夫々に対して設けられている。
【００７４】
上流水槽２１で発生した気泡は基材５６，５６，…にも接触しつつ上流水槽２１内の処理水Ｗ中を上昇し、水面から空中へ出る前に、一部が処理水Ｗに溶解する。
【００７５】
第１下流水槽２２（第２下流水槽２３）で発生した気泡は基材５７（基材５８）にも接触しつつ第１下流水槽２２（第２下流水槽２３）内の仕切り板１８（仕切り板１９）上流側の処理水Ｗ中を上昇し、水面から空中へ出る前に、一部が処理水Ｗに溶解する。横管３２ｂ（横管３３ｂ）の高さと通水部１８ａ（通水部１９ａ）の高さとの差によって、発生した気泡が第１下流水槽２２（第２下流水槽２３）内の仕切り板１８（仕切り板１９）下流側の処理水Ｗ中へ移動することはないため、発生した気泡が第１下流水槽２２（第２下流水槽２３）底部の処理水Ｗ及び仕切り板１８（仕切り板１９）下流側の処理水Ｗを攪拌することが防止される。
【００７６】
処理槽１の上面１３外側には、水道水を貯留する図示しない貯水タンクが設けてあり、この貯水タンクに、給水バルブ５１を介して給水管３７，３８，３９が連結してある。給水管３７，３８，３９は上面１３を上下方向に貫通しており、夫々下端開口が、上流水槽２１、第１下流水槽２２及び第２下流水槽２３夫々のオーバーフロー水位から十分に離隔した高さに、しかも濾過板２０、仕切り板１８及び仕切り板１９夫々の上流側に配されている。給水バルブ５１が開放された場合、給水管３７，３８，３９を介して上流水槽２１、第１下流水槽２２及び第２下流水槽２３夫々の水槽内上流側に水道水が供給され、給水バルブ５１が閉鎖された場合、水道水の供給が停止される。
【００７７】
処理槽１の上面１３外側には、微生物を含む液体である処理剤を貯留する図示しない処理剤タンクが設けてあり、この処理剤タンクに、処理剤ポンプ５２を介して処理剤供給管３４，３５，３６が連結してある。処理剤供給管３４，３５，３６は上面１３を上下方向に貫通しており、夫々下端開口が、上流水槽２１、第１下流水槽２２及び第２下流水槽２３夫々のオーバーフロー水位から十分に離隔した高さに、しかも濾過板２０、仕切り板１８及び仕切り板１９夫々の上流側に配されている。処理剤ポンプ５２が作動開始した場合、処理剤供給管３４，３５，３６を介して上流水槽２１、第１下流水槽２２及び第２下流水槽２３夫々の水槽内上流側に処理剤が供給され、処理剤ポンプ５２が作動停止した場合、処理剤の供給が停止される。
【００７８】
つまり、処理槽１へ給水する給水手段、及び処理槽１へ微生物を供給する微生物供給手段は、上流水槽２１、第１下流水槽２２及び第２下流水槽２３夫々に対して設けられており、供給された水道水及び処理剤が混合されて、処理水Ｗとなる。
【００７９】
生ゴミ処理装置５の使用者、設置作業者、保守点検作業者等（以下、オペレータという）が生ゴミ処理装置５を操作するための操作盤４は、例えば投入口１０ａ近傍に設置されている。
操作盤４は、バス又は信号線を介して電気的に相互に接続されたＣＰＵ４０、ＲＯＭ４１、ＲＡＭ４２、タイマ４３、操作部４４、及びＩ／Ｆ（インタフェース）部４５を備える。
【００８０】
ＣＰＵ４０は、ＲＡＭ４２を作業領域として用い、ＲＯＭ４１に記憶された制御プログラム及びデータに従って装置各部を制御し、各種処理を実行する。また、ＣＰＵ４０は、タイマ４３を用いて経過時間を計時する。更に、ＣＰＵ４０は、Ｉ／Ｆ部４５を介して、水中ポンプ２４、搬送ポンプ２５，２６、ブロワ３、給水バルブ５１及び処理剤ポンプ５２へ、これらを作動又は開放させる制御信号（以下、オン信号という）を出力する。
【００８１】
水中ポンプ２４、搬送ポンプ２５，２６、ブロワ３及び処理剤ポンプ５２夫々は、オン信号を入力された場合に図示しないスイッチがオン状態になって作動を開始し、オン信号の入力が継続されている間は継続して作動し、オン信号が入力されなくなった場合に前記スイッチがオフ状態になって作動停止し、オン信号が入力されるまで作動停止を継続する。また、給水バルブ５１は、オン信号を入力された場合に開放され、オン信号の入力が継続されている間は開放を継続し、オン信号が入力されなくなった場合に閉鎖され、オン信号が入力されるまで閉鎖を継続する。
【００８２】
操作部４４は、生ゴミ処理装置５の作動状態、オペレータへの操作指示等が表示される表示部と、表示部を見ながらオペレータが生ゴミ処理装置５を操作するための各種ファンクションキーとを備える。
【００８３】
図４は、ＣＰＵ４０が実行する生ゴミ分解処理の手順を示すフローチャートである。
図示しない電源がオン状態にされた場合、ＣＰＵ４０は、操作部４４で所定の操作入力が行なわれたか否かを判定することによって、生ゴミ処理を開始するか否かを判定し（Ｓ１１）、生ゴミ処理を開始しないと判定した場合（Ｓ１１でＮＯ）、生ゴミ処理を開始すると判定するまで待機する。
【００８４】
生ゴミ処理装置５のオペレータは、初回の生ゴミ処理実行前に、予め処理槽１へ所定量の水道水又は処理水Ｗを注入しておく。
そしてオペレータは、投入口扉１０ｂを開放し、適宜のサイズに裁断又は粉砕した生ゴミを投入口１０ａから上流水槽２１内へ投入する。生ゴミ投入後、オペレータは、投入口扉１０ｂを閉鎖し、操作部４４で、生ゴミ処理装置５に生ゴミ処理を開始させるための所定の操作入力を行なう。
【００８５】
生ゴミ処理を開始すると判定した場合（Ｓ１１でＹＥＳ）、ＣＰＵ４０は、まずタイマ４３での計時を開始し（Ｓ１２）、次に、水中ポンプ２４、ブロワ３、給水バルブ５１、及び処理剤ポンプ５２を作動開始及び作動停止を繰り返すことによって、処理槽１における生ゴミ処理を実行する（Ｓ１３）。
Ｓ１３の生ゴミ処理においては、例えば６時間毎に３０秒間だけ処理剤ポンプ５２にオン信号を出力して処理槽１の処理水Ｗに処理剤を供給する。また、２０分を１サイクルとし、５分間だけ水中ポンプ２４へオン信号を出力して上流水槽２１の処理水Ｗを攪拌し、その後、１５分間だけブロワ３へオン信号を出力して処理槽１の処理水Ｗに気泡を発生させることを繰り返す。また、１サイクルの間に、１分間ずつ適宜の間隔をおいて６回、給水バルブ５１へオン信号を出力して処理槽１の処理水Ｗに水道水を供給する。
【００８６】
なお、本実施の形態においては上流水槽２１と第１下流水槽２２と第２下流水槽２３とに、夫々同時的に等量の給水、処理剤の供給及び曝気夫々を行なうが、各水槽毎に異なるタイミングと供給量とで給水、処理剤の供給及び曝気夫々を実行してもよい。この場合、各水槽毎に効率的に生ゴミを処理することができる。
【００８７】
Ｓ１３の処理を行いつつ、ＣＰＵ４０はタイマ４３を用いて、所定時間（以下、所定処理時間という。例えば１２時間）が経過したか否かを判定する（Ｓ１４）。所定処理時間が経過していない場合（Ｓ１４でＮＯ）、ＣＰＵ４０はＳ１３の処理を続行する。
所定処理時間が経過した場合（Ｓ１４でＹＥＳ）、ＣＰＵ４０はタイマ４３での計時を終了し（Ｓ１５）、水中ポンプ２４、ブロワ３、給水バルブ５１、及び処理剤ポンプ５２に対するオン信号の出力を全て停止（又は停止の継続を）させる（Ｓ１６）。
【００８８】
更にＣＰＵ４０はタイマ４３での計時を再び開始し（Ｓ１７）、所定時間（以下、全停止時間という。例えば２時間）が経過したか否かを判定し（Ｓ１８）、全停止時間が経過していない場合（Ｓ１８でＮＯ）、全停止時間が経過するまでタイマ４３での計時を継続する。全停止時間が経過した場合（Ｓ１８でＹＥＳ）、ＣＰＵ４０はタイマ４３での計時を終了する（Ｓ１９）。
Ｓ１６〜Ｓ１９の処理によって、給水手段、微生物供給手段、気泡発生手段、及び攪拌手段を夫々作動させた後で、全て停止させる全停止時間が設けられる。この場合、処理槽１内の処理水Ｗの攪拌、移動等が停止し、処理水Ｗに含まれる生ゴミ及び残渣が確実に沈殿する。
【００８９】
Ｓ１９の処理完了後、ＣＰＵ４０は、例えば１０分だけ搬送ポンプ２５，２６へオン信号を出力して搬送ポンプ２５，２６を作動させる（Ｓ２０）。
Ｓ２０の処理によって、沈殿した生ゴミ及び残渣が上流水槽２１に回収される。回収された生ゴミ及び残渣はオペレータが上流水槽２１を清掃することによって除去される。また、未処理の生ゴミは次回の生ゴミ処理までに、又は次回の生ゴミ処理時に完全に処理されることが期待できる。
なお、搬送ポンプ２５，２６の作動時に、ブロワ３も作動させていてもよい。
【００９０】
Ｓ２０の処理完了後、ＣＰＵ４０は処理をＳ１１へ戻す。
【００９１】
以上のような生ゴミ処理装置５は、投入口１０ａから処理槽１内ヘ投入された生ゴミを、処理水Ｗに含まれる微生物によって分解処理する。生ゴミの処理は、特に上流水槽２１の濾過板２０上流側、第１下流水槽２２の仕切り板１８上流側、及び第２下流水槽２３の仕切り板１９上流側夫々で活発に行なわれる。
このとき、未処理の生ゴミ又は処理不能な残渣を含む処理水Ｗが排水口２７ａから排出されること、及び排水濾過網２７ｂに直接的に接触して目詰まりさせることを抑制することができる。
【００９２】
なお、大型の処理槽を隔壁で分割することによって上流水槽及び下流水槽夫々を設ける構成に限らず、例えば上流水槽及び下流水槽夫々となすべき小型の水槽をパイプで連結する構成でもよい。また、上流水槽と最下流の下流水槽との間の下流水槽の個数は、１個に限らず、０個（上流水槽及び下流水槽のみの構成）でも２個以上でもよい。下流水槽の個数が多い場合、生ゴミ及び残渣の生ゴミ処理装置５外部への排出及び排水濾過網の目詰まりを更に抑制することができ、下流水槽の個数が少ない場合、生ゴミ処理装置５をコンパクトに構成することができる。
【００９３】
実施の形態  ２．
図５は、本発明の実施の形態２に係る生ゴミ処理装置５の構成を示す縦断面図である。また、図６は、生ゴミ処理装置５が備える操作盤４の構成を示すブロック図である。
本実施の形態における処理槽１の仕切り板１８（仕切り板１９）には、第１下流水槽２２（第２下流水槽２３）のオーバーフロー水位より十分に高い位置に、上流−下流方向に貫通する貫通孔である通気部１８ｂ（通気部１９ｂ）が形成してある。このため、ブロワ３が作動して第１下流水槽２２（第２下流水槽２３）の仕切り板１８（仕切り板１９）上流側に空気が吹き込まれた場合でも、通気部１８ｂ（通気部１９ｂ）を空気が通過して処理槽１内の気圧のバランスが保たれる。
【００９４】
また、処理槽１内の隔壁１６（隔壁１７）の上方に、側面１５に固定された送水ポンプ５３（送水ポンプ５４）が配してある。送水ポンプ５３（送水ポンプ５４）は、吸入管５３１（吸入管５４１）から吸入した処理水Ｗを吐出管５３２（吐出管５４２）から吐出する。
吐出管５３２（吐出管５４２）の吐出口は、第１下流水槽２２（第２下流水槽２３）の仕切り板１８（仕切り板１９）上流側に、第１下流水槽２２（第２下流水槽２３）のオーバーフロー水位から上方に僅かに離隔した位置に開口している。一方、吸入管５３１（吸入管５４１）の吸入口は、上流水槽２１（第１下流水槽２２）の濾過板２０（仕切り板１８）下流側に、上流水槽２１（第１下流水槽２２）のオーバーフロー水位の高さより低い位置に開口している。
【００９５】
吸入管５３１の開口位置は、上流水槽２１の水位がこの開口位置以下である場合、投入口１０ａから生ゴミが投入されても上流水槽２１の処理水Ｗがオーバーフローして第１下流水槽２２へ流出することがない位置である。つまり、上流水槽２１からは、生ゴミの投入後、給水管３７から所定量の水道水が給水されたときに、処理水Ｗがオーバーフローして第１下流水槽２２へ流出する。
ここで、吸入管５３１，５４１の吸入口は、処理槽１底部に沈殿している生ごみ及び残渣を吸入しないように、下面１４からは十分に離隔される。更に、前記吸入口に処理水濾過網を設けることが好ましい。
【００９６】
ＣＰＵ４０は、Ｉ／Ｆ部４５を介して、送水ポンプ５３，５４へ、送水ポンプ５３，５４を作動させる制御信号（オン信号）を出力する。
送水ポンプ５３，５４は、オン信号を入力された場合に図示しないスイッチがオン状態になって作動を開始し、オン信号の入力が継続されている間は継続して作動し、オン信号が入力されなくなった場合に前記スイッチがオフ状態になって作動停止し、オン信号が入力されるまで作動停止を継続する。
【００９７】
図７及び図８は、生ゴミ処理装置５の動作を示す説明図であり、図５同様、生ゴミ処理装置５の縦断面を示している。
生ゴミ処理装置５の生ゴミ処理中は、図７（ａ）に示すように、生ゴミ投入後、給水管３７，３８，３９から上流水槽２１、第１下流水槽２２、及び第２下流水槽２３へ適量の水道水を供給しつつ、処理剤供給管３４，３５，３６から上流水槽２１、第１下流水槽２２、及び第２下流水槽２３へ適宜のタイミングで処理剤を供給し、ブロワ３で処理水Ｗに外気を吹き込む。また、水中ポンプ２４で処理水Ｗを攪拌する。
【００９８】
給水管３７，３８，３９からの水道水の供給によって、上流水槽２１、第１下流水槽２２、及び第２下流水槽２３夫々の水位はオーバーフロー水位まで上昇し、オーバーフロー水位を超過した場合に、処理水Ｗは上流水槽２１から第１下流水槽２２及び第２下流水槽２３を経て排水口２７ａへ排出される。
【００９９】
給水、処理剤の供給、曝気、及び処理水Ｗの攪拌を行ない生ゴミを処理した後、給水、処理剤の供給、曝気、及び処理水Ｗの攪拌を全停止時間だけ停止させることによって生ゴミ及び残渣を沈殿させる。そして、全停止時間の経過後に、図７（ｂ）に示すように、送水ポンプ５３，５４を所定時間（以下、所定送水時間という）だけ作動させる。
【０１００】
このとき、上流水槽２１の処理水Ｗが吸入管５３１及び吐出管５３２を介して第１下流水槽２２へ汲み出される。また、第１下流水槽２２の処理水Ｗが吸入管５４１及び吐出管５４２を介して第２下流水槽２３へ汲み出される。更に、第２下流水槽２３の処理水Ｗは、オーバーフロー水位を超過した場合に、排水口２７ａから排出される。
ここで、予め生ゴミ及び残渣が処理槽１底部に沈殿しているため、送水ポンプ５３，５４は生ゴミ及び残渣をほとんど含まない処理水Ｗの上澄み液を汲み上げることができる。
【０１０１】
所定送水時間の経過後、図８に示すように、送水ポンプ５３，５４を停止させる。このとき、上流水槽２１の水位は、吸入管５３１の開口位置まで下がっている。
つまり、次回の生ゴミの投入前に、上流水槽２１の水位を下げておき、生ゴミ投入直後であって生ゴミによる汚染度が高い処理水Ｗが、上流水槽２１からオーバーフローして第１下流水槽２２以降に流出することを防止している。
【０１０２】
図９は、ＣＰＵ４０が実行する生ゴミ分解処理の手順を示すフローチャートである。図９中Ｓ３１〜Ｓ３９の処理は、実施の形態１の図４に示すＳ１１〜Ｓ１９の処理に対応するため、説明を省略する。
Ｓ３９の処理完了後、ＣＰＵ４０は、所定送水時間（例えば１０分間）だけ送水ポンプ５３，５４へオン信号を出力して送水ポンプ５３，５４を作動させ（Ｓ４０）、処理をＳ３１へ戻す。
Ｓ４０の処理によって、沈殿した生ゴミ及び残渣を含まない処理水Ｗが上流水槽２１から排出されて、次回の生ゴミ処理開始までに、上流水槽２１の生ゴミ受け容れ準備が整えられる。また、上流側の水槽から下流側の水槽へ送水ポンプ５３，５４によって強制的に送水するため、今回分の処理水Ｗを排水口２７ａから強制排出して排水効率を向上させることができる。
【０１０３】
その他、実施の形態１に対応する部分には同一符号を付してそれらの説明を省略する。
【０１０４】
以上のような生ゴミ処理装置５も、実施の形態１の生ゴミ処理装置５と同様に、未処理の生ゴミ又は処理不能な残渣を含む処理水Ｗが排水口２７ａから排出されること、及び排水濾過網２７ｂが目詰まりすることを抑制しつつ、投入口１０ａから処理槽１内ヘ投入された生ゴミを、処理水Ｗに含まれる微生物によって分解処理することができる。
【０１０５】
なお、処理槽１に搬送ポンプ２５，２６及び搬送パイプ２８０，２８１，２８２，２８３を備える構成でもよい。
【０１０６】
実施の形態  ３．
図１０及び図１１は、本発明の実施の形態３に係る生ゴミ処理装置５の構成及び動作を示す縦断面図である。また、図１２は、生ゴミ処理装置５が備える操作盤４の構成を示すブロック図である。
【０１０７】
本実施の形態の処理槽１は、正面１１、背面１２、上面１３、下面１４及び左右の側面１５，１５夫々に図示しない適宜の断熱構造を有する略直方体である。また、処理槽１外部にはディスポーザ６が並設されている。
【０１０８】
ディスポーザ６は、上向きに開口する投入部６１を上部に有し、上方から投入部６１へ生ゴミと水（処理水Ｗ又は水道水）とを投入される。ディスポーザ６は、投入された生ゴミを、モータによって駆動されたカッター（各不図示）で粉砕する。更にディスポーザ６は、粉砕した生ゴミ及び水を処理槽１へ投入すべく、前後方向に突出する投入管６２を上下方向中央部に有し、投入管６２が、処理槽１の正面１１の点検口１１ａの上側に形成してある貫通孔１０ｃに内嵌してある。
貫通孔１０ｃは実施の形態１，２の投入口１０ａに相当し、貫通孔１０ｃを通して、ディスポーザ６から上流水槽２１へ生ゴミが投入される。ただし、ディスポーザ６を用いる場合は、生ゴミと共に水も投入される。
【０１０９】
処理槽１の上面１３外側には、供給ポンプ５５が配してある。供給ポンプ５５は、吸入管５５１から吸入した処理水Ｗを吐出管５５２から吐出する。
吸入管５５１の吐出口は、第２下流水槽２３の仕切り板１９下流側に、第２下流水槽２３のオーバーフロー水位の高さより低い位置に開口している。ただし、吸入管５５１の吸入口は、処理槽１底部に沈殿している生ごみ及び残渣を吸入しないように、下面１４からは十分に離隔される。更に、前記吸入口に処理水濾過網を設けることが好ましい。
一方、吐出管５５２の吐出口は、ディスポーザ６の投入部６１上方に開口している。
つまり、供給ポンプ５５は、第２下流水槽２３に収容されている処理水Ｗを、ディスポーザ６に供給する。
【０１１０】
ＣＰＵ４０は、Ｉ／Ｆ部４５を介して、ディスポーザ６及び供給ポンプ５５へ、これらを作動させる制御信号（オン信号）を同時的に出力する。
ディスポーザ６及び供給ポンプ５５夫々は、オン信号を入力された場合に図示しないスイッチがオン状態になって作動を開始し、オン信号の入力が継続されている間は継続して作動し、オン信号が入力されなくなった場合に前記スイッチがオフ状態になって作動停止し、オン信号が入力されるまで作動停止を継続する。
【０１１１】
送水ポンプ５３の吸入管５３１の開口位置は、上流水槽２１の水位がこの開口位置以下である場合、ディスポーザ６から生ゴミ及び処理水Ｗが投入されても上流水槽２１の処理水Ｗがオーバーフローして第１下流水槽２２へ流出することがない位置である。つまり、上流水槽２１からは、生ゴミ及び処理水Ｗの投入後、給水管３７から所定量の水道水が給水されたときに、処理水Ｗがオーバーフローして第１下流水槽２２へ流出する。
【０１１２】
図７（ａ）に示すようにして給水、処理剤の供給、曝気、及び処理水Ｗの攪拌を行ない生ゴミを処理した後、給水、処理剤の供給、曝気、及び処理水Ｗの攪拌を全停止時間だけ停止させることによって生ゴミ及び残渣を沈殿させる。そして、全停止時間の経過後に、図１０に示すように、送水ポンプ５３，５４を所定送水時間だけ作動させる。
このとき、上流水槽２１の処理水Ｗが吸入管５３１及び吐出管５３２を介して第１下流水槽２２へ汲み出される。また、第１下流水槽２２の処理水Ｗが吸入管５４１及び吐出管５４２を介して第２下流水槽２３へ汲み出される。更に、第２下流水槽２３の処理水Ｗは、オーバーフロー水位を超過した場合に、排水口２７ａから排出される。
【０１１３】
所定送水時間の経過後、上流水槽２１の水位は、吸入管５３１の開口位置まで下がっている。一方、第２下流水槽２３の水位は、オーバーフロー水位にある。
【０１１４】
図１１に示すように、ディスポーザ６は生ゴミの投入時に作動する。この場合、前回の生ゴミ処理で生じた未処理の生ゴミ及び処理不能な残渣は、前回の全停止時間中に処理槽１の底部に沈殿しているため、供給ポンプ５５は生ゴミ及び残渣をほとんど含まない処理水Ｗの上澄み液を汲み上げることができる。
【０１１５】
また、ディスポーザ６に、供給ポンプ５５が汲み上げた第２下流水槽２３の処理水Ｗを供給するため、ディスポーザ６に水道水を供給する必要がなく、水道水の使用量を抑制して水道コストを低減することができる。第２下流水槽２３の処理水Ｗは、生ゴミが十分処理され、生ゴミ及び残渣をほとんど含まない上に、微生物を含むため、ディスポーザ６を介して上流水槽２１にて再利用するのに適している。
なお、処理槽１に沈殿した生ゴミ及び残渣をディスポーザ６へ供給して再破砕し、上流水槽２１で再処理するよう構成してもよい。また、例えば第２下流水槽２３の処理水Ｗだけではディスポーザ６への供給量が足りない場合、水道水を併用してもよく、送水ポンプ５４を作動させて第２下流水槽２３に第１下流水槽２２の処理水Ｗを供給してもよい。
【０１１６】
供給ポンプ５５の処理水Ｗ汲み上げによって第２下流水槽２３の水位が低下するため、第２下流水槽２３からは、上流水槽２１への生ゴミの投入後、給水管３９から給水された水道水及び第１下流水槽２２から流出した処理水Ｗの合計が所定量を超えたときに、処理水Ｗがオーバーフローして排水口２７ａから排出される。このため、仮に第２下流水槽２３の処理水Ｗに生ゴミが含まれていた場合でも、処理水Ｗがオーバーフローするまでに微生物によって処理されることが期待できる。
【０１１７】
図１３は、ＣＰＵ４０が実行する生ゴミ分解処理の手順を示すフローチャートである。図１３中Ｓ５４〜Ｓ６２の処理は、実施の形態２の図９に示すＳ３２〜Ｓ４０の処理に対応するため、説明を省略する。
図示しない電源がオン状態にされた場合、ＣＰＵ４０は、操作部４４で所定の操作入力が行なわれたか否かを判定することによって、生ゴミ処理を開始するか否かを判定し（Ｓ５１）、生ゴミ処理を開始しないと判定した場合（Ｓ５１でＮＯ）、生ゴミ処理を開始すると判定するまで待機する。
【０１１８】
生ゴミ処理装置５のオペレータは、初回の生ゴミ処理実行前に、予め処理槽１へ所定量の水道水又は処理水Ｗを注入しておく。
そしてオペレータは、ディスポーザ６の投入部６１へ生ゴミを投入する。生ゴミ投入後、オペレータは、操作部４４で、生ゴミ処理装置５に生ゴミ処理を開始させるための所定の操作入力を行なう。
【０１１９】
生ゴミ処理を開始すると判定した場合（Ｓ５１でＹＥＳ）、ＣＰＵ４０は、ディスポーザ６へ所定時間だけオン信号を出力することによってディスポーザ６を作動させ（Ｓ５２）、Ｓ５２の処理と同時的に、供給ポンプ５５へ前記所定時間だけオン信号を出力することによって供給ポンプ５５を作動させる（Ｓ５３）。
Ｓ５２及びＳ５３の処理完了後、ディスポーザ６及び供給ポンプ５５を停止させた状態で、ＣＰＵ４０はＳ５４以下の処理を実行する。
【０１２０】
その他、実施の形態１に対応する部分には同一符号を付してそれらの説明を省略する。ただし、図１０及び図１１におけるブロワ３及び給気管３１，３２，３３と基材５７，５８の図示は省略してある。
【０１２１】
以上のような生ゴミ処理装置５も、実施の形態１，２の生ゴミ処理装置５と同様に、未処理の生ゴミ又は処理不能な残渣を含む処理水Ｗが排水口２７ａから排出されること、及び排水濾過網２７ｂが目詰まりすることを抑制しつつ、ディスポーザ６から処理槽１内ヘ投入された生ゴミを、処理水Ｗに含まれる微生物によって分解処理することができる。
【０１２２】
なお、搬送ポンプ２５，２６及び搬送パイプ２８０，２８１，２８２，２８３を備える構成でもよい。
【図面の簡単な説明】
【０１２３】
【図１】本発明の実施の形態１に係る生ゴミ処理装置の構成を示す斜視図である。
【図２】本発明の実施の形態１に係る生ゴミ処理装置の構成を示す縦断面図である。
【図３】本発明の実施の形態１に係る生ゴミ処理装置が備える操作盤の構成を示すブロック図である。
【図４】本発明の実施の形態１に係る生ゴミ処理装置のＣＰＵが実行する生ゴミ分解処理の手順を示すフローチャートである。
【図５】本発明の実施の形態２に係る生ゴミ処理装置の構成を示す縦断面図である。
【図６】本発明の実施の形態２に係る生ゴミ処理装置が備える操作盤の構成を示すブロック図である。
【図７】本発明の実施の形態２に係る生ゴミ処理装置の動作を示す説明図である。
【図８】本発明の実施の形態２に係る生ゴミ処理装置の動作を示す説明図である。
【図９】本発明の実施の形態２に係る生ゴミ処理装置のＣＰＵが実行する生ゴミ分解処理の手順を示すフローチャートである。
【図１０】本発明の実施の形態３に係る生ゴミ処理装置の構成及び動作を示す縦断面図である。
【図１１】本発明の実施の形態３に係る生ゴミ処理装置の構成及び動作を示す縦断面図である。
【図１２】本発明の実施の形態３に係る生ゴミ処理装置が備える操作盤の構成を示すブロック図である。
【図１３】本発明の実施の形態３に係る生ゴミ処理装置のＣＰＵが実行する生ゴミ分解処理の手順を示すフローチャートである。
【符号の説明】
【０１２４】
１    処理槽（水槽）
１０ａ  投入口
１０ｃ  貫通孔（投入口）
１６ａ，１７ａ  流水部
１８，１９  仕切り板
１８ａ，１９ａ  通水部
１８ｂ，１９ｂ  通気部
２０  濾過板
２１  上流水槽
２２  第１下流水槽（下流水槽）
２３  第２下流水槽（下流水槽）
２４  水中ポンプ（攪拌手段）
２５，２６  搬送ポンプ
２７ａ  排水口
３    ブロワ（気泡発生手段）
３ａ  空気孔（気泡発生手段）
３０，３１，３２，３３  給気管（気泡発生手段）
３４，３５，３６  処理剤供給管（微生物供給手段）
３７，３８，３９  給水管（給水手段）
５    生ゴミ処理装置
５１  給水バルブ（給水手段）
５２  処理剤ポンプ（微生物供給手段）
５３，５４  送水ポンプ
５５  供給ポンプ
６    ディスポーザ
Ｗ    処理水（微生物が混入された水，水槽に収容された水）
【図１】
2007167740.tif 000003
【図２】
2007167740.tif 000004
【図３】
2007167740.tif 000005
【図４】
2007167740.tif 000006
【図５】
2007167740.tif 000007
【図６】
2007167740.tif 000008
【図７】
2007167740.tif 000009
【図８】
2007167740.tif 000010
【図９】
2007167740.tif 000011
【図１０】
2007167740.tif 000012
【図１１】
2007167740.tif 000013
【図１２】
2007167740.tif 000014
【図１３】
2007167740.tif 000015